(57)【要約】【課題】天井パネルを薄くしても、桟材を介して補強して連結することで、撓みを抑制可能とし、スタック性を損なうことのない天井の連結構造を実現する。【解決手段】第１の天井パネル２および第２の天井パネル３は、その連結部分８に、第１の桟材２１および第２の桟材２２が係合する接続部９を備え、第１の桟材２１および第２の桟材２２は、立ち面２７を備え、立ち面２７にはスリット部２８が設けられており、接続部９は、スリット部２８に差し込みされる挿入部１６と、略コの字状に形成された折り返し部１２と、カギ状の切り欠き部１３を備えており、第１の桟材２１および第２の桟材２２は、折り返し部１２に嵌合される嵌合部２３を備え、第１の桟材２１および第２の桟材２２同士をネジ３２で結合し、第１の天井パネル２および第２を天井パネル３接続する。【選択図】図５
2020117939.tif 000002
【特許請求の範囲】
【請求項１】
桟材を用いて複数の天井パネルが連結されて形成される天井の連結構造であって、天井パネルの連結部分には桟材が係合する接続部を備え、桟材および接続部のいずれか一方には立ち面を備え、立ち面にはスリット部が設けられており、桟材および接続部のいずれか他方にはスリット部に差し込みされる挿入部が設けられており、スリット部に挿入部が挿入されることで、天井パネルと桟材が係合することを特徴とする天井の連結構造。      
【請求項２】
請求項１に記載の天井の連結構造であって、接続部は略コの字状に形成された折り返し部と、切り欠き部と、を備えており、桟材は接続部の折り返し部に嵌合される略コの字状の嵌合部を備えており、それぞれの天井パネルに嵌合した桟材同士が接続されて天井が形成されることを特徴とする天井の連結構造。
【請求項３】
請求項２に記載の天井の連結構造であって、桟材の両端部に嵌合部が設けられ、嵌合部よりも内側にスリット部が設けられていることを特徴とする天井の連結構造。
【発明の詳細な説明】
【技術分野】
【０００１】
本発明は、天井の連結構造に関するものである。
【背景技術】
【０００２】
従来のシステムバス等の天井パネルの連結構造の一例を、図１０、図１１を参照して説明する。図１０（ａ）に示すように、互いに連結される第１の天井パネル６１および第２の天井パネル６２は、それぞれ発泡スチロールなどの材料で形成された天井裏基材６３を上面側（例えば、浴室の天井の裏面側）に有し、それぞれ連結端は、コの字状の折返し部６６が形成されている。
【０００３】
第１の天井パネル６１のコの字状の折返し部６６の垂直部６７には、後記するダボ６８の円錐裁頭部６９を挿通可能な大きさの円形の挿通孔７２が形成されている。第２の天井パネル６２のコの字状の折返し部６６の垂直部６７には、少なくともダボ６８のネジ部７０を挿通可能な大きさの円形の挿通孔７３が形成されている。
【０００４】
第１の天井パネル６１と第２の天井パネル６２は、図１０（ｂ）に示す補強を兼ねたフレーム７６と図１０（ｃ）に示すような連結金具８０を組み込むことで、互いの垂直部６７を当接した状態で連結される。
【０００５】
フレーム７６は、長手方向に直交する垂直断面は、図１０（ｂ）に示すように、コの字状に形成されている。フレーム７６の垂直部７７にはネジ孔７８が形成されている。このネジ孔７８に、円錐裁頭部６９を有するダボ６８のネジ部７０が螺着されて固定される。
【０００６】
連結金具８０は、図１０（ｃ）に示すように、長手方向に直交する垂直断面が略己字状に形成されており、その下側のコの字状の嵌合部８１には、大径孔部と細幅孔部が連通して成る係合長孔８２が形成されている。
【０００７】
第１の天井パネル６１と第２の天井パネル６２を連結する場合は、図１１（ａ）に示すように、第２の天井パネル６２のコの字状の折返し部６７内にフレーム７６を嵌合する。そして、ダボ６８のネジ部７０を第２の天井パネル６２の挿通孔７３を通してフレーム７６のネジ孔７８にねじ込んで固定する。
【０００８】
次に、ダボ６８を第１の天井パネル６１の折返し部６６の挿通孔７２を通し、図１１（ｂ）に示すように、第１の天井パネル６１と第２の天井パネル６２における互いに折返し部６６を、対面させ当接させる。さらに、連結金具８０の大径孔部にダボ６８を通し、図１０（ｃ）に示すように、連結金具８０の嵌合部８１を、第１の天井パネル６１コの字状の折返し部６６内に嵌合する。
【０００９】
その後、図１１（ｄ）の状態から図１１（ｅ）に示すように、連結金具８０を第１の天井パネル６１のコの字状の折返し部６６に沿ってスライドする。すると、図１１（ｅ）に示すように、ダボ６８が連結金具８０の細幅孔から抜け出ないようになり、これによって、第１の天井パネル６１と第２の天井パネル６２は互いに連結される。
【００１０】
さらに、従来、補強部材の一部にスリットを設け、接続金具を用いて天井を連結する構造が知られている（特許文献１参照）。具体的には、特許文献１には、一対の天井パネルユニット各一端縁側折り曲げ部を互いに嵌合し、補強部材を一つの天井パネルユニットの一端縁側折り曲げ部に差し込んで配設し、補強部材の長孔に差し込んだ接続金具のボルトを締め付け、一方の天井パネルユニットに対して、他方の天井パネルユニットを引き寄せて接続する構成が開示されている。
【００１１】
また、トラスト梁等の補強材を用いて、屋根板を連結する構造が知られている（特許文献２参照）。
【先行技術文献】
【特許文献】
【００１２】
【特許文献１】特開平９一３１７２１８号公報
【特許文献２】特開平９一２５６５８６号公報
【発明の概要】
【発明が解決しようとする課題】
【００１３】
従来、天井裏基材を含む天井パネルの厚みは、例えば、２０ｍｍ程度であるが、近年、天井裏基材を含む天井パネルの厚み寸法を小さくし、天井パネル全体をより薄くすることで、資材を搬送しやすく、またバスユニット等の設置環境に合わせてコンパクトに設置する要請がある。
【００１４】
そこで、天井裏基材を石膏ボードとして、天井裏基材を含む天井パネルの厚みは、例えば、従来使用されていた２０ｍｍ程度の発泡スチロール板から１０ｍｍ程度の石膏ボードとすることも考えられる。
【００１５】
しかしながら、このように天井パネルを薄くすると、天井裏基材の重量も加わり、天井パネル全体の強度が低下し、下方への撓みを生じやすくなる。特に、２枚の天井パネルの連結部においては、このような撓みは、連結の緩み等の原因ともなりかねない。
【００１６】
本発明は、天井パネルを薄くしても、撓みを抑制できる天井の連結構造を実現することを課題とする。
【００１７】
ところで、図１０、図１１に示す従来の天井の連結構造では、フレーム７６に固定した円錐裁頭部６９を有するダボ６８を、第１の天井パネル６１および第２の天井パネル６２の折り返し部６６を通して水平に突出させる構造であるので、第１の天井パネル６１および第２の天井パネル６２の折り返し部６６は、ある程度の高さ方向の幅が必要である。
【００１８】
しかしながら、折り返し部６６が天井裏基材６３の厚みより高くなると、スタック性が悪くなる。ここで、「スタック性」とは天井パネルを整然と安定し積み重ねることができる性能のことである。
【００１９】
例えば、天井パネルを積み重ねて搬送の際、あるいは保管倉庫に積み重ねて保管する際等に、搬送作業上、保管上および安全上等の観点から、天井パネルを整然と安定して積み重ねられる必要がある。天井パネルの一部が上方に部分的に突出していると、それが邪魔となって、整然と積み重ねることができず、上下方向に傾いたりして、不安定な積み重ねとなってしまい、スタック性が悪くなる。
【００２０】
このようなスタック性を考慮すると、天井パネルの折り返し部は、天井裏基材より上方に突出することのないように、天井裏基材の厚さ以下に高さであることが好ましく、他方、天井パネルの折返し部は、ダボを取り付けるために十分な高さ寸法が必要である。
【００２１】
上記従来の天井の連結構造において、第１の天井パネル６１および第２の天井パネル６２の折返し部６６は、天井裏基材６３自体がある程度の高さであるので、それより高さが低くくても、それぞれダボ６８を取り付けたり、ダボ６８の円錐裁頭部６９を挿通する挿通孔７２を設けるために、十分な寸法とすることができた。
【００２２】
しかしながら、上記したとおり天井裏基材を含む天井パネルを薄くする要請に対しては、図１０、図１１に示す従来の天井の連結構造では、天井パネルの折り返し部が天井裏基材の厚み以下の高さを維持しつつ天井パネルを薄くすると、天井パネルの折り返し部の高さも十分とれないので、ダボ６８を取り付けにくくなり、また、ダボ６８の円錐裁頭部６９を挿通する挿通孔７２を設けにくくなるという問題がある。
【００２３】
本願発明は、上記のような天井パネルの厚みを薄くすることと、スタック性も良くするという、２つの相容れない要請を解決することが可能な天井の連結構造を実現することを、さらなる課題とする。
【課題を解決するための手段】
【００２４】
本発明は上記課題を解決するために、桟材を用いて複数の天井パネルが連結されて形成される天井の連結構造であって、天井パネルの連結部分には桟材が係合する接続部を備え、桟材および接続部のいずれか一方には立ち面を備え、立ち面にはスリット部が設けられており、桟材および接続部のいずれか他方にはスリット部に差し込みされる挿入部が設けられており、スリット部に挿入部が挿入されることで、天井パネルと桟材が係合することを特徴とする天井の連結構造を提供する。
【００２５】
接続部は略コの字状に形成された折り返し部と、切り欠き部と、を備えており、桟材は接続部の折り返し部に嵌合される略コの字状の嵌合部を備えており、それぞれの天井パネルに嵌合した桟材同士が接続されて天井が形成されることが好ましい。
【００２６】
桟材の両端部に嵌合部が設けられ、嵌合部よりも内側にスリット部が設けられていることが好ましい。
【発明の効果】
【００２７】
本発明によると、桟材を介して連結することで、桟材が補強となり、天井パネルを薄くしても、天井の撓みを抑制できる。また、天井パネルのコの字状の折り返し部を天井裏基材の厚み以下の高さにしても天井パネルを連結することが可能の連結構造であるので、スタック性を損なうことはない。
【図面の簡単な説明】
【００２８】
【図１】本発明に係る天井の連結構造の実施例を説明する図であり、連結される第１  のパネルと第２のパネルから成る天井を示す斜視図である。
【図２】本発明に係る天井の連結構造の実施例１を説明する図であり、（ａ）は連結される第１のパネルを示す斜視図であり、（ｂ）は（ａ）の要部拡大図である。
【図３】（ａ）は実施例１で使用する第１の桟材を示す斜視図であり、（ｂ）は（ａ）の要部拡大図である。
【図４】実施例１において、第１の天井パネルの接続部に第１の桟材を組み付けた状態を示し、（ａ）は部分斜視図であり、（ｂ）は部分断面図である。
【図５】実施例１において、（ａ）は第１の天井パネルと第２の天井パネルにそれぞれ第１の桟材と第２の桟材を組み付けて、互いに対向して配置した状態を示す斜視図であり、（ｂ）は第１の天井パネルと第２の天井パネルを連結した天井の連結構造を示す断面図である。
【図６】本発明に係る天井の連結構造の実施例２を説明する図であり、（ａ）は連結される第１のパネル（第２のパネルも同じ構成）を示す斜視図であり、（ｂ）は桟材の要部を示す斜視図である。
【図７】実施例２において、（ａ）は図６（ａ）のコの字状折返し部の断面図であり、（ｂ）は図６（ｂ）の側面図であり、（ｃ）は桟材を組み付けた第１の天井パネルと第２の天井パネルを互いに対向して配置した状態を示す断面図であり、（ｄ）は第１の天井パネルと第２の天井パネルを連結した天井の連結構造を示す断面図である。
【図８】実施例２の変形例１を説明する図であり、（ａ）は第１の天井パネル（第２の天井パネル）の断面図であり、（ｂ）変形例１に使用する桟材の断面図であり、（ｃ）は変形例１に使用する桟材の斜視図であり、（ｄ）は第１の天井パネルと第２の天井パネルを連結した状態を示す断面図である。
【図９】実施例２の変形例２を説明する図であり、（ａ）は変形例に使用する第１の桟材と第２の桟材の断面図であり、（ｂ）は第１の天井パネル（第２の天井パネル）の接続部を天井裏基材側から見た図であり、２点鎖線（想像線）は天井裏基材を示す、（ｃ）はそれぞれ桟材を組み付けた第１の天井パネルと第２の天井パネルを互いに対向して配置した状態を示す断面図であり、（ｄ）は第１の天井パネルと第２の天井パネルを連結した天井の連結構造を示す断面図である。
【図１０】従来例の天井の連結構造を説明する図であり、（ａ）は互いに連結される２つの天井パネルの連結部分の断面を示す斜視図であり、（ｂ）はフレームとフレームに螺着されるダボを示す斜視図であり、（ｃ）は連結金具の斜視図である。
【図１１】上記従来例の天井の連結構造を組立工程を通して説明する図であり、（ａ）〜（ｅ）はその組立工程を説明する図である。
【発明を実施するための形態】
【００２９】
本発明に係る天井の連結構造を実施するための形態を実施例に基づき図面を参照して、以下説明する。
【実施例】
【００３０】
（実施例１）
本発明に係る天井の連結構造の実施例１を図１〜図５を参照にして説明する。本実施例では、図１に示すようなユニットバス等の天井１の構成部材である、第１の天井パネル２と第２の天井パネル３を、互いに連結する天井の連結構造４について説明する。
【００３１】
第１の天井パネル２は、図１および図２（ａ）、（ｂ）に示すように、浴室内から見て裏面（第１の天井パネル２の上面）に、石膏ボード等からなる天井裏基材７が設けられている。第１の天井パネル２が第２の天井パネル３と連結される連結部分８（接続端の部分）には、後記する第１の桟材２１が係合する接続部９を備えている。
【００３２】
接続部９には、図２（ａ）、（ｂ）に示すように、長手方向の一部に、断面がコの字状に折り返された折り返し部（後記する「コの字状の折り返し部１２」）が形成され、さらに長手方向の他の部分に、カギ状の切り欠き部１３が形成されている。
【００３３】
本実施例１では、図２（ａ）、（ｂ）に示すように、接続部９の長手方向の両端に、それぞれコの字状の折り返し部１２が形成されている。そして、この両端のコの字状の折り返し部１２の長手方向の内側（中央側）には、それぞれカギ状の切り欠き部１３が形成されている。
【００３４】
この両側のカギ状の切り欠き部１３の内側（中央側）には、さらにコの字状の折り返し部１２が形成されている。コの字状の折り返し部１２は、図２（ｂ）に示すように、垂直部１４と水平な頂部１５を有する。
【００３５】
中央側のコの字状の折り返し部１２において、その頂部１５は、後記するが、第１の桟材２１のスリット部２８に差し込まれる挿入部として機能するように設けられているので、本明細書では、特に、挿入部１６という。
【００３６】
ところで、コの字状の折り返し部１２の垂直部１４と頂部１５の長手方向に垂直な断面は、¬  状、即ちカギ状であり、カギ状の切り欠き部１３は、コの字状の折り返し部１２の垂直部１４と頂部１５の一部が切り欠かれた構成であるので、本明細書では、「カギ状の切り欠き部」という。
【００３７】
以上の第１の天井パネル２の構成は、第２の天井パネル３についても同じであるので、第２の天井パネル３の構成の説明は、ここでは省略する。第１の天井パネル２と第２の天井パネル３は、互いの連結部分８において、本発明の天井の連結構造４で連結される。
【００３８】
この天井の連結構造４では、第１の天井パネル２と第２の天井パネル３は、それぞれ接続部９に第１の桟材２１と第２の桟材２２が係合されて組み付けられ、第１の桟材２１と第２の桟材２２が互いに、後記するネジ３２で結合された構成である（図５（ｂ）参照）。
【００３９】
第１の桟材２１と第２の桟材２２は、略同じ構成であるので、ここでは、第１の桟材２１について、図３（ａ）、（ｂ）を参照して説明する。第１の桟材２１は、その長手方向の両側に、それぞれ長手方向に垂直な断面がコの字状の嵌合部２３形成されており、この両側の嵌合部２３の間（長手方向の中央側）に中央部２４が形成されている。
【００４０】
第１の桟材２１の両側嵌合部２３は、それぞれ第１の天井パネル２の両端のコの字状の折り返し部１２に対応し略長さが同じであり、それぞれ第１の天井パネル２の両端のコの字状の折り返し部１２内に嵌合する（図４（ａ）、（ｂ）を参照）ように形成されている。
【００４１】
第１の桟材２１の中央部２４は、図３（ａ）、（ｂ）に示すように、長手方向に垂直な断面はＬ字状であり、底面２６と底面２６の一端から垂直に立ち上がった立ち面２７を有する。立ち面２７には、長手方向に沿って水平に延びるスリット部２８が形成されている。スリット部２８は、第１の天井パネル２の挿入部１６と同じ高さの位置に形成されている。
【００４２】
このスリット部２８は、第１の天井パネル２の挿入部１６が差し込まれるように（図４（ａ）、（ｂ）参照）、挿入部１６の長手方向の長さおよび厚さより、僅かに大きな長手方向の長さと上下幅を有する開口寸法で形成されている。
【００４３】
なお、実施例１では、スリット部２８は、第１の桟材２１の立ち面２７の中央に１つ設けられている。しかし、図示はしないが、スリット部２８は、１つではなく、第１の桟材２１の立ち面２７に長手方向に沿って複数を分割して設けた構成としてもよい。その場合は、第１の天井パネル２の挿入部１６は、複数のスリット部に対応して、長手方向に複数分割し、複数のカギ状の切り欠き部を介して設けた構成とする。
【００４４】
第１の桟材２１の立ち面２７において、図３（ａ）、（ｂ）に示すように、スリット部２８の両側にはネジ固定用の孔２９が形成されている。第１の桟材２１のネジ固定用の孔は、ネジの切られたネジ切り孔である。図示はしないが、第２の桟材２２のネジ固定用の孔２９（図５（ａ）参照）は、ネジを単に挿通するネジ挿通孔である。
【００４５】
なお、ネジを挿入する向きによっては、図示はしないが、第１の桟材２１のネジ固定用の孔２９は、ネジ挿通孔とし、第２の桟材２２のネジ固定用の孔は、ネジの切られたネジ切り孔としてもよい。
【００４６】
（天井の連結構造およびその組立工程）
第１の天井パネル２と第２の天井パネル３を連結する天井の連結構造４について、その組立工程を通して、以下説明する。
【００４７】
まず、第１の天井パネル２と第２の天井パネル３について、それぞれの接続部９に、第１の桟材２１と第２の桟材２２を係合して組み付ける。第１の天井パネル２に第１の桟材２１を組み付ける工程と、第２の天井パネル３に第２の桟材２２を組み付ける工程は、同じであるので、ここでは、第１の天井パネル２に第１の桟材２１を組み付ける工程について、説明する。
【００４８】
第１の桟材２１を、第１の天井パネル２の天井裏基材７側から接続部９に近づけ、第１の天井パネル２の挿入部１６を、第１の桟材２１のスリット部２８に差し込むとともに、第１の桟材２１の嵌合部２３を、第１の天井パネル２のコの字状の折り返し部１２内に嵌合する。
【００４９】
これによって、第１の桟材２１の立ち面２７の長手方向の両側の部分は、第１の天井パネル２の両側の切り欠き部１３に嵌り、コの字状の折り返し部１２に係合し、第１の桟材２１は長手方向の動きが規制される。このようにして、図４（ａ）、（ｂ）に示すように、第１の天井パネル２の接続部９に、第１の桟材２１が係合して組み付けられる。
【００５０】
第１の桟材２１が組み付けられた第１の天井パネル２と、同様に第２の桟材２２が組み付けられた第２の天井パネル３を、図５（ａ）に示すように、互いの接続部９が対向し、かつ第１の桟材２１の立ち面２７と第２の桟材２２の立ち面２７が互いに対向するように配置して当接する。
【００５１】
そして、ネジ３２を第２の桟材２２のネジ固定用の孔２９（ネジ挿通孔）を通し、さらに第１の桟材２１のネジ固定用の孔２９（ネジ切り孔）にねじ込んで、図５（ｂ）に示すように、第１の桟材２１の立ち面２７と第２の桟材２２の立ち面２７を結合し、第１の桟材２１と第２の桟材２２を接続する。
【００５２】
その結果、第１の桟材２１のコの字状の折返し部１２および立ち面２７と、第２の桟材２２のコの字状の折返し部１２および立ち面２７が互いに当接された状態で、第１の天井パネル２と第２の天井パネル３は、連結された構成となる。
【００５３】
このような天井の連結構造４によると、第１の天井パネル２と第２の天井パネル３の接続部９に、それぞれ第１の桟材２１と第２の桟材２２が組み付けられているので、第１の天井パネル２と第２の天井パネル３を従来に較べて薄くしても、第１の桟材２１と第２の桟材２２によって補強されるので、撓みを抑制できる。
【００５４】
また、本発明の天井の連結構造４は、第１の天井パネル２と第２の天井パネル３を薄くしても、上記図１０、図１１に示す従来例のようにダボ６８等を用いないので、接続部９のコの字状の折り返し部１２および挿入部１６は、天井裏基材７の厚みより低くい高さであってもよい。
【００５５】
しかも、連結に必要な第１の桟材２１および第２の桟材２２は、天井裏基材７の厚みより高い寸法であっても、それぞれ施工現場で第１の天井パネル２および第２の天井パネル３の接続部９に係合して組み付ければよい。
【００５６】
従って、第１の天井パネル２と第２の天井パネル３は、搬送、保管等の際には、天井裏基材７の厚みより高く突出した部分はないので、搬送、保管等に際して、スタック性を損なうことはない。
【００５７】
さらに、本発明の天井の連結構造４では、上記図１０、図１１に示す従来例のように、第１の天井パネル６１と第２の天井パネル６２のコの字状の折返し部６６内でスライドさせる連結金具８０は不要であるので、第１の天井パネル２と第２の天井パネル３に打墾等が生じることはなく、意匠性を損なうことがない。      
【００５８】
（実施例２）
本発明に係る天井の連結構造の実施例２を図６、図７を参照して説明する。本実施例２の天井の連結構造３４は、実施例１の連結構造４と略同じであるので、以下、主に異なる構成を中心に説明する。実施例２において実施例１と共通または同じ構造の部分については、同じ符号を使用する。
【００５９】
本実施例２の天井の連結構造３４で連結される第１の天井パネル３５と第２の天井パネル３６は、互いに同じ構成であるので、ここでは第１の天井パネル３５について説明する。実施例２の第１の天井パネル３５は、実施例１の第１の天井パネル２と同様に、図６（ａ）に示すように、連結部分３８には桟材が係合する接続部３９を有する。
【００６０】
接続部３９の長手方向の両端には、実施例１と同様にコの字状の折り返し部１２が形成されており、両端のコの字状の折り返し部１２の間（長手方向の中央側）には、立ち面４２が形成されている。立ち面４２の長手方向の中央部には、スリット部４３が形成されている。
【００６１】
スリット部４３は、後記する桟材４７の挿入部４９と同じ高さの位置に形成されている。スリット部４３の両側には、ネジ固定用の孔４４（ネジ切り孔又はネジ挿通孔）が形成されている。
【００６２】
実施例２の接続部３９の立ち面４２の高さは、図７（ａ）に示すように、天井裏基材７の高さ以下とする。それに応じて、コの字状の折り返し部１２の高さも、立ち面４２の高さの、例えば、２／３程度とする。
【００６３】
実施例２では、桟材４７は、実施例１と異なり１つの桟材４７を使用する。実施例２の桟材４７は、第１の桟材２１と同様に、図６（ｂ）、図７（ｂ）に示すように、長手方向の両端に断面コの字状の嵌合部２３を有する。
【００６４】
両側の嵌合部２３より内側（中央より）は、カギ状に切り欠かれており、カギ状の切り欠き部４８が形成されている。さらに、両側のカギ状の切り欠き部４８の間（中央側）には、連結する相手の第２の天井パネル３６側に向けて水平に折り曲げられて成る挿入部４９が形成されている。
【００６５】
挿入部４９は、第２の天井パネル３６の立ち面４２に形成されたスリット部４３に差し込み可能な高さ（スリット部４３と同じ高さの位置）に形成されており、また、スリット部４３に差し込んでから第２の天井パネル３６側に延び出る程度の長さに形成されている。
【００６６】
実施例２において、第１の天井パネル３５と第２の天井パネル３６を連結する天井の連結構造３４について、その組立工程を通して、以下説明する。
【００６７】
桟材４７を、第１の天井パネル３５の天井裏基材７側から近づけ、図７（ｃ）に示すように、桟材４７の挿入部４９を、第１の天井パネル３５のスリット部４３に差し込むとともに、桟材４７の嵌合部２３を第１の天井パネル３５の桟材４７の内に嵌合して組み付ける。
【００６８】
次に、桟材４７を組み付けた第１の天井パネル３５と、第２の天井パネル３６を、図７（ｃ）に示すように、互いの接続部３９が対向するように配置する。そして、第１の天井パネル３５の桟材４７を第２の天井パネル３６のスリット部４３内に差し込みながら、第１の天井パネル３５と第２の天井パネル３６を近接し、互いのコの字状の折返し部１２および立ち面４２を対向して当接する。
【００６９】
その後、ネジ３２を、第２の天井パネル３６のネジ固定用の孔（ネジ挿通孔）から挿入し、第１の天井パネル３５のネジ固定用の孔（ネジ切り孔）にねじ込む。これにより、図７（ｄ）に示すように、第１の天井パネル３５の立ち面４２と第２の天井パネル３６の立ち面４２を、互いに結合して接続する。その結果、第１の天井パネル３５と第２の天井パネル３６は、連結される。
【００７０】
なお、桟材４７が、天井の連結構造３４から抜け出るようなことを完全に防止するために、例えば、図示はしないが、桟材４７の嵌合部を第１の天井パネル３５のコの字状の折り返し部１２の頂部１５にネジで固定する構成、または、桟材４７の挿入部４９を第２の天井パネル３６のコの字状の折り返し部１２の頂部１５にネジで固定する等の構成を採用してもよい。
【００７１】
このようにして組み立てられた実施例２の天井の連結構造３４によると、実施例１と同様に、桟材４７を介して連結することで、桟材４７が補強となり、第１の天井パネル３５と第２の天井パネル３６を薄くしても撓みを抑制できる。
【００７２】
また、実施例２の天井の連結構造３４においても、第１の天井パネル３５と第２の天井パネル３６の接続部３９、特に立ち面４２を、天井裏基材７の厚み以下の高さにすることで（図７（ａ）、（ｃ）等参照）、天井裏基材７より突出する部分がないので、スタック性を損なうことはない。
【００７３】
さらに、実施例１と同様に、図１０、図１１に示す従来例で生じる打痕も生じないので、意匠性を損なうことがない。      
【００７４】
なお、実施例２では、第１の天井パネル３５と第２の天井パネル３６の接続部３９を天井裏基材７の厚み以下の高さにしたが、天井パネルのコの字状の折り返し部１２を天井裏基材７の厚みより僅かであれば高くなっても、若干、スタック性は低下するが、撓みを抑制する天井の連結構造としては、十分役立つ構成である。
【００７５】
（実施例２の変形例１）
実施例２の変形例１を図８を参照して説明する。実施例２では、スリット部４３を、第１の天井パネル３５および第２の天井パネル３６のコの字状の折返し部１２より上方において、立ち面４２に設け、スリット部４３に差し込む桟材４７の挿入部４９も、コの字状の折返し部１２より上方に設けた構成である（図７（ｄ）参照）。
【００７６】
これに対して、実施例２の変形例１は、図８（ａ）に示すように、スリット部４３を、第１の天井パネル３５（および第２の天井パネル３６）のコの字状の折返し部１２より下方において、立ち面４２に設けるとともに、桟材４７の挿入部４９を、図８（ｂ）、（ｃ）に示すように、嵌合部２３の頂部と同じ高さとなるように、実施例２に較べて低くした構成とする。
【００７７】
そのような構成とすることで、桟材４７の挿入部４９を、図８（ｄ）に示すように、第１の天井パネル３５および第２の天井パネル３６のスリット部４３に差し込むと、側面視でコの字状の折返し部１２の頂部１５より下方に位置するようになる。
【００７８】
このような実施例２の変形例１の構成によると、第１の天井パネル３５および第２の天井パネル３６における立ち面４２のスリット部４３を、実施例１の図８（ａ）に示すような、コの字状の折返し部１２より上方に形成する構成とする必要がない。
【００７９】
そのため、実施例２に較べて、立ち面４２の高さを低くすることが可能となる。その結果、天井裏基材７を含む第１の天井パネル３５および第２の天井パネル３６の厚さをさらに薄くすることが可能となる。
【００８０】
（実施例２の変形例２）
実施例２では、第１の天井パネル３５にしか桟材４７を組み付けなかったが、第２の天井パネル３６にも桟材を組み付ける天井の連結構造としてもよい。このような天井の連結構造５１について、実施例２の変形例２として、図９を参照して説明する。
【００８１】
実施例２の変形例２は、実施例２と略同じであるが、桟材として実施例２と略同じ構成の第１の桟材５２に加えて、第２の桟材５４を設ける構成と、第１の天井パネル３５の立ち面４２および第２の天井パネル３６の立ち面４２にそれぞれ形成したスリット部５６の上下の開口幅を、大きくする構成を採用した点において、実施例２と主に相違する。
【００８２】
また、実施例２の変形例２における第１の桟材５２および第２の桟材５４は、それぞれ実施例２の桟材４７と略同じ構成であるが、図９（ａ）に示すように、第２の桟材５４の第２の挿入部５５の高さｈ２を、第１の桟材５２の第１の挿入部５３の高さｈ１より高くし、天井の連結構造５１において、第２の挿入部５５の下面が第１の桟材５２の挿入部５３の上面に当接する程度の高さとした（図９（ｄ）参照）。
【００８３】
さらに、少なくとも第１の挿入部５３の長さを、実施例２の桟材４７の挿入部４９に較べて短くした。具体的には、図９（ｄ）に示す天井の連結構造５１において、第１の挿入部５３は、第１の天井パネル３５のスリット部５６から第２の天井パネル３６のスリット部５６に挿入されるが、第２の天井パネル３６のスリット部５６から外側には突き出ることのない程度の長さとする。これにより、第１の挿入部５３の先端が、第２の挿入部５５の邪魔とならないようにする。    
【００８４】
第１の天井パネル３５の立ち面４２および第２の天井パネル３６の立ち面４２にそれぞれ形成したスリット部５６の上下方向の開口幅は、第１の桟材５２の挿入部５３と第２の桟材５４の挿入部５５が互いに当接した状態で、共に差し込み可能な寸法とした。
【００８５】
天井の連結構造５１の組立のためには、まず、図９（ｃ）に示すように、第１の天井パネル３５のコの字状の折返し部１２に、第１の桟材５２の嵌合部２３を嵌合するとともに、第１の挿入部５３を、第１の天井パネル３５のスリット部５６に挿通する。
【００８６】
同様に、第２の天井パネル３５のコの字状の折返し部１２に、第２の桟材５４の嵌合部２３を嵌合するとともに、第２の挿入部５５を、第２の天井パネル３５のスリット部５６を挿通する。
【００８７】
このようにして、第１の天井パネル３５および第２の天井パネル３６に、それぞれ第１の桟材５２および第２の桟材５４を組み付けた状態とする（図９（ｃ）参照）。この状態では、第１の天井パネル３５のスリット部５６を通して第１の桟材５２の挿入部５３が突き出ており、第２の天井パネル３６のスリット部５６を通して第２の桟材５４の挿入部５５が突き出ている。
【００８８】
そして、図９（ｄ）に示すように、第１の天井パネル３５の接続部３９と第２の天井パネル３６の接続部３９を互いに対向させて近づけ、第１の挿入部５３を第２の天井パネル３６のスリット部５６に挿通する。また、第２の挿入部５５を第１の天井パネル３５のスリット部５６に挿通する。
【００８９】
このようにして、第１の天井パネル３５と第２の天井パネル３６の接続部３９を互いに当接させて、図示はしないが、ネジ３２を第２の天井パネル３６のネジ固定用の孔４４（ネジ挿通孔）から挿通し、第１の天井パネル３５のネジ固定孔４４（ネジ切り孔）にねじ込む。
【００９０】
すると、図９（ｄ）に示すように、第１の天井パネル３５の立ち面４２と第２の天井パネル３６立ち面４２は、互いに結合して接続する。その結果、第１の天井パネル３５と第２の天井パネル３６は、連結される。
【００９１】
このような実施例２の変形例２の天井の連結構造５１によると、実施例２の効果に加え、第１の桟材５２と第２の桟材５４を設けるので、より効果的な補強ができ、天井の撓みについても、より効果的に抑制することが可能となる。
【００９２】
以上、本発明に係る天井の連結構造を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００９３】
本発明に係る天井の連結構造は上記のような構成であるから、ユニットバス等の浴室の天井パネルの連結だけでなく、組み立て式の建物、小屋等の天井パネルの連結にも適用可能である。
【符号の説明】
【００９４】
１  天井
２  第１の天井パネル
３  第２の天井パネル
４  天井の連結構造
７  第１の天井パネルおよび第２の天井パネルの天井裏基材      
８  第１の天井パネルおよび第２の天井パネルの連結部分
９  第１の天井パネルおよび第２の天井パネルの接続部
１２  接続部のコの字状の折り返し部
１３  接続部のカギ状の切り欠き部
１４  コの字状の折り返し部の垂直部
１５  コの字状の折り返し部の頂部
１６  接続部の挿入部
２１  第１の桟材
２２  第２の桟材
２３  第１の桟材および第２の桟材の嵌合部
２４  第１の桟材および第２の桟材の中央部
２６  中央部の底面
２７  中央部の立ち面
２８  立ち面のスリット部
２９  立ち面のネジ固定用の孔
３２  ネジ
３４  天井の連結構造
３５  第１の天井パネル
３６  第２の天井パネル
３８  第１の天井パネルおよび第２の天井パネルの連結部分
３９  第１の天井パネルおよび第２の天井パネルの接続部
４２  第１の天井パネルおよび第２の天井パネルの立ち面
４３  立ち面のスリット部
４４  立ち面のネジ固定用の孔
４７  桟材
４８  桟材のカギ状の切り欠き部
４９  桟材の挿入部
５１  天井の連結構造
５２  第１の桟材
５３  第１の桟材の挿入部
５４  第２の桟材
５５  第２の桟材の挿入部
５６  第１の桟材の立ち面のスリット部
６１  第１の天井パネル                                              
６２  第２の天井パネル                                              
６３  第１の天井パネルおよび第２の天井パネルの天井裏基材            
６６  第１の天井パネルおよび第２の天井パネルのコの字状の折返し部    
６７  折返し部の垂直部                                              
６８  ダボ                                                          
６９  ダボの円錐裁頭部                                              
７０  ダボのネジ部                                                  
７２  第１の天井パネルの挿通孔                                      
７３  第２の天井パネルの挿通孔                                      
７６  フレーム                                                      
７７  フレームの垂直部                                              
７８  フレームのネジ孔                                              
８０  連結金具                                                      
８１  連結金具の嵌合部                                              
８２  連結金具の係合長孔                                            
【図１】
2020117939.tif 000003
【図２】
2020117939.tif 000004
【図３】
2020117939.tif 000005
【図４】
2020117939.tif 000006
【図５】
2020117939.tif 000007
【図６】
2020117939.tif 000008
【図７】
2020117939.tif 000009
【図８】
2020117939.tif 000010
【図９】
2020117939.tif 000011
【図１０】
2020117939.tif 000012
【図１１】
2020117939.tif 000013